(57)【要約】【課題】遊技制御装置と他の制御装置との間に不正な電子基板を接続されたとしても、遊技制御装置が初期化されたことを報知することができ、しかも、報知動作を不正電子基板により阻止される虞がない遊技機を提供する。【解決手段】遊技の進行を制御する遊技制御装置と、該遊技制御装置により直接制御されて特別図柄を表示可能な特別図柄表示器と、を備えたパチンコ遊技機において、遊技制御装置は、当該遊技制御装置に対する初期化指令信号を検出すると、特別図柄表示器に表示動作を行わせて前記初期化指令信号の検出を報知するように構成された。【選択図】図５
2009061160.tif 000002
【特許請求の範囲】
【請求項１】
遊技の進行を制御する遊技制御装置と、該遊技制御装置により直接制御されて特別図柄を表示可能な特別図柄表示器と、を備えた遊技機において、
前記遊技制御装置は、当該遊技制御装置に対する初期化指令信号を検出すると、特別図柄表示器に表示動作を行わせて前記初期化指令信号の検出を報知するように構成されたことを特徴とする遊技機。
【請求項２】
前記遊技制御装置は、特別図柄表示器に点滅表示動作を行わせて前記初期化指令信号の検出を報知するように構成されたことを特徴とする請求項１に記載の遊技機。
【請求項３】
前記遊技制御装置は、遊技店内の遊技機を管理する管理装置へ信号を送信可能な外部送信手段を備え、当該遊技制御装置に対する初期化指令信号を検出すると、外部送信手段により前記初期化指令信号の検出を管理装置へ送信するように構成されたことを特徴とする請求項２に記載の遊技機。
【請求項４】
前記遊技制御装置により直接制御され、扉部材を開いて遊技球が入賞可能な開状態と、扉部材を閉じて遊技球が入賞不能な閉状態とに変換する変動入賞装置を備え、
前記遊技制御装置は、当該遊技制御装置に対する初期化指令信号を検出すると、変動入賞装置に扉部材の開閉動作を行わせて前記初期化指令信号の検出を報知するように構成されたことを特徴とする請求項１に記載の遊技機。
【発明の詳細な説明】
【技術分野】
【０００１】
本発明は、遊技の進行を制御する遊技制御装置と、該遊技制御装置により直接制御されて特別図柄を表示可能な特別図柄表示器とを備えたパチンコ遊技機等の遊技機に関する。
【背景技術】
【０００２】
従来の遊技機、例えば、パチンコ遊技機においては、遊技制御装置（メイン制御部）のメモリを初期化するための初期化手段（例えば初期化スイッチ）を備え、例えば、停電復帰後に遊技店の店員が初期化手段を操作して再び遊技を行えるように構成されている。
【０００３】
ところで、近年では、遊技制御装置に不正電子基板（所謂ぶら下がり基板）を接続する不正行為が行われてしまうことがある。不正電子基板が接続されると、不正行為者が不正電子基板から不正な初期化指令信号を遊技制御装置へ送信して遊技制御装置のメモリを初期化し、遊技制御装置で生成される大当たり乱数の生成タイミングを把握してしまう。そして、この生成タイミングに基づいて遊技を行って不正に利益を獲得してしまう。そこで、遊技制御装置が当該遊技制御装置に対する初期化指令信号を検出すると、スピーカから音を発生したり発光装置を発光させたりして初期化された旨を報知し、不正電子基板による不正な初期化行為を発見し易くしたパチンコ遊技機が提案されている（例えば、特許文献１参照）。なお、スピーカや発光装置は、演出制御装置（音制御部、表示制御部）を介して遊技制御装置へ接続されており、遊技制御装置から報知指令信号を受信した演出制御装置に制御されて、報知動作を行うように構成されている。
【特許文献１】特開２００３−０２４５５３号公報
【発明の開示】
【発明が解決しようとする課題】
【０００４】
ところが、上記特許文献に記載のものでは、遊技制御装置と演出制御装置との間に不正電子基板を接続されてしまう虞がある。そして、初期化指令信号の検出に基づいて、遊技制御装置が演出制御装置へ報知指令信号を送信したとしても、この報知指令信号を不正電子基板により無効とされてしまい、スピーカや発光装置による報知を行うことができない。この結果、不正電子基板による不正な初期化行為を発見することができない。
【０００５】
本発明は、上記の事情に鑑みてなされたものであり、その目的は、遊技制御装置と他の制御装置との間に不正な電子基板を接続されたとしても、遊技制御装置が初期化されたことを報知することができ、しかも、報知動作を不正電子基板により阻止される虞がない遊技機を提供しようとするものである。
【課題を解決するための手段】
【０００６】
本発明は、上記目的を達成するために提案されたものであり、請求項１に記載のものは、遊技の進行を制御する遊技制御装置と、該遊技制御装置により直接制御されて特別図柄を表示可能な特別図柄表示器と、を備えた遊技機において、
前記遊技制御装置は、当該遊技制御装置に対する初期化指令信号を検出すると、特別図柄表示器に表示動作を行わせて前記初期化指令信号の検出を報知するように構成されたことを特徴とする遊技機である。
【０００７】
請求項２に記載のものは、前記遊技制御装置は、特別図柄表示器に点滅表示動作を行わせて前記初期化指令信号の検出を報知するように構成されたことを特徴とする請求項１に記載の遊技機である。
【０００８】
請求項３に記載のものは、前記遊技制御装置は、遊技店内の遊技機を管理する管理装置へ信号を送信可能な外部送信手段を備え、当該遊技制御装置に対する初期化指令信号を検出すると、外部送信手段により前記初期化指令信号の検出を管理装置へ送信するように構成されたことを特徴とする請求項２に記載の遊技機である。
【０００９】
請求項４に記載のものは、前記遊技制御装置により直接制御され、扉部材を開いて遊技球が入賞可能な開状態と、扉部材を閉じて遊技球が入賞不能な閉状態とに変換する変動入賞装置を備え、
前記遊技制御装置は、当該遊技制御装置に対する初期化指令信号を検出すると、変動入賞装置に扉部材の開閉動作を行わせて前記初期化指令信号の検出を報知するように構成されたことを特徴とする請求項１に記載の遊技機である。
【発明の効果】
【００１０】
本発明によれば、以下のような優れた効果を奏する。
請求項１に記載の発明によれば、遊技制御装置は、当該遊技制御装置に対する初期化指令信号を検出すると、特別図柄表示器に表示動作を行わせて前記初期化指令信号の検出を報知するように構成されたので、遊技制御装置と他の制御装置との間に不正な電子基板を接続されて、この不正電子基板により遊技制御装置が不正に初期化されたとしても、初期化行為が行われたことを特別図柄表示器により報知することができ、遊技店の店員が遊技機を調べるきっかけ、ひいては不正電子基板の接続および不正な初期化行為の実行を発見するきっかけを与えることができる。また、特別図柄表示器による報知動作を不正電子基板により阻止される不都合がない。
【００１１】
請求項２に記載の発明によれば、遊技制御装置は、特別図柄表示器に点滅表示動作を行わせて前記初期化指令信号の検出を報知するように構成されたので、特別図柄表示器による報知動作を目立たせることができ、遊技店内の店員に不正な初期化行為が行われたか否かの調査を迅速に促すことができる。
【００１２】
請求項３に記載の発明によれば、遊技制御装置は、遊技店内の遊技機を管理する管理装置へ信号を送信可能な外部送信手段を備え、当該遊技制御装置に対する初期化指令信号を検出すると、外部送信手段により前記初期化指令信号の検出を管理装置へ送信するように構成されたので、初期化行為が行われたことを管理装置で把握することができ、遊技店内の店員に不正な初期化行為が実行されたか否かの調査、ひいては不正電子基板が接続されているか否かの調査を一層迅速に行わせることができる。
【００１３】
請求項４に記載の発明によれば、遊技制御装置により直接制御され、扉部材を開いて遊技球が入賞可能な開状態と、扉部材を閉じて遊技球が入賞不能な閉状態とに変換する変動入賞装置を備え、遊技制御装置は、当該遊技制御装置に対する初期化指令信号を検出すると、変動入賞装置に扉部材の開閉動作を行わせて前記初期化指令信号の検出を報知するように構成されたので、初期化行為の報知動作をさらに目立たせることができ、遊技店内の店員に不正な初期化行為が行われたか否かの調査を一層迅速に促すことができる。
【発明を実施するための最良の形態】
【００１４】
以下、代表的な遊技機であるパチンコ遊技機を例に挙げて本発明の実施の最良の形態を図面に基づき説明する。図１はパチンコ遊技機の正面図、図２は背面図である。
パチンコ遊技機１は、機枠（外枠）２に前面枠（内枠）３を開閉可能に軸着し、該前面枠３に遊技盤５を収納可能とし、該遊技盤５の表面には、略円形状の遊技領域７を区画形成している。また、前面枠３の前面側には、一側（図１中、左側）が軸着された透明部材保持枠９を開閉可能に設け、該透明部材保持枠９に透視可能な透明部材１０を収納している。そして、透明部材保持枠９を閉じると、遊技盤５が透明部材保持枠９により覆われるとともに、透明部材１０が遊技領域７の前方に配置され、透明部材１０を通して遊技領域７をパチンコ遊技機１の前方から視認できるように構成されている。さらに、透明部材保持枠９の下方には、一側（図１中、左側）が軸着された上皿ユニット１１を開閉可能に設け、該上皿ユニット１１の下方には、下皿ユニット１２を上皿ユニット１１とは左右方向にずれた位置に配置している。また、下皿ユニット１２の左側に灰皿１４を備え、下皿ユニット１２の右側に発射操作ユニット（発射操作ハンドル）１５を備えている。そして、上皿ユニット１１と下皿ユニット１２との間には、遊技状態に応じて音を発生するスピーカ１６を配置している。
【００１５】
また、遊技盤５は、その前面に区画部材２１を当該遊技盤５の各辺に沿う状態で止着して遊技領域７を区画形成し、遊技領域７の中央部にセンターケース２２を配設し、該センターケース２２の下方には、遊技球の入賞により後述する特図変動表示ゲームの始動条件を成立させる始動入賞口２３を配置し、センターケース２２の側方（左側方）には普図始動ゲート２４を配置している。さらに、センターケース２２の左下方および右下方には、発光により各種の装飾表示を行うサイドランプ（装飾ＬＥＤ）２５を配置し、サイドランプ２５の前面側に一般入賞口２６を備えている。そして、始動入賞口２３の下方には大入賞口２７（本発明における変動入賞装置に相当）を配置し、該大入賞口２７の下方であって遊技領域７の下縁部には、入賞せずに流下した遊技球を回収するアウト口２８を設け、始動入賞口２３、大入賞口２７やセンターケース２２等の取付部分を除いた遊技領域７内には障害釘（図示せず）を植設している。
【００１６】
さらに、センターケース２２の中央部には、大型の液晶パネルで構成された表示部３０を後方から臨ませ、センターケース２２の上部には、普図始動ゲート２４への入賞（通過）を契機として普図変動表示ゲーム（補助遊技）の表示を行う普通図柄表示器３１、始動入賞口２３への入賞を始動条件として特図変動表示ゲーム（特別遊技）の表示を行う特別図柄表示器３２、遊技球が普図始動ゲート９を通過したが保留（未処理）となっている普図変動表示ゲームの回数を所定数（例えば４回分）まで表示可能な普図始動記憶表示器３１′、遊技球が始動入賞口２３へ入賞したが保留（未処理）となっている特図変動表示ゲームの回数を所定数（例えば４回分）まで表示可能な特図始動記憶表示器３２′、パチンコ遊技機１の遊技状態（通常遊技状態や各変動表示ゲーム後の結果に基づく大当たり遊技状態等）を表示するための遊技状態表示器３３、大当たり状態におけるラウンドを表示するためのラウンド表示器３４を備えている。なお、特別図柄表示器３２は、７セグＬＥＤにより数字、記号等の特別図柄（特図）を変動表示するように構成されている。また、普通図柄表示器３１、普図始動記憶表示器３１′、特図始動記憶表示器３２′、遊技状態表示器３３、ラウンド表示器３４は、ＬＥＤにより構成され、ＬＥＤを点灯あるいは消灯して表示を行う。そして、パチンコ遊技機１は、特図変動表示ゲームの表示態様が予め定めた特別の結果態様（大当たり）になったときには、複数のラウンドに区切って特別遊技（大当たり遊技状態）を実行し、ラウンド毎に大入賞口２７の扉部材２７ａを所定時間および所定回数だけ開放して遊技球が大入賞口２７に入賞可能な開状態へ変換し、所定時間が経過後には、扉部材２７ａを閉じて遊技球が入賞不能な閉状態へ変換する。
【００１７】
また、図２に示すように、前面枠３の裏面側には裏機構盤３５を形成し、該裏機構盤３５に略矩形状の開口窓部３６を開設し、前面枠３に遊技盤５を前方から交換可能な状態で取り付けるとともに、遊技盤５の後部（裏面側部）を開口窓部３６から後方へ臨ませている。さらに、裏機構盤３５には一連の裏機構部品を設けている。具体的に説明すると、裏機構盤３５の上部には球排出機構３８（球タンク３８ａ、案内流路３８ｂ、球排出装置３８ｃ、球流下路３８ｄ）を取り付け、裏機構盤３５の下部には排出発射制御装置４０、電源供給装置４１、中継基板４２等をそれぞれ取り付けている。また、球タンク３８ａの側方には、パチンコ遊技機１と遊技店内の管理装置４４（図３参照）とを接続するための外部情報端子４５を装着している。そして、遊技盤５の裏面のうち、裏機構盤３５の開口窓部３６から臨む部分には、遊技制御装置４７と演出制御装置４８とを上下に並べて装着している。
【００１８】
次に、パチンコ遊技機１の制御系統について、図３に基づいて説明する。
遊技制御装置４７は、遊技を統括的に制御する主制御装置として機能する装置であり、遊技制御を司るＣＰＵ５０、遊技制御のためのプログラム等を記憶しているＲＯＭ５１、および遊技制御時にワークエリアとして利用されるＲＡＭ５２、当該遊技制御装置４７における入出力信号を伝達するためのＩ／Ｏポート５３を備えて構成されている。また、各種検出装置（カウントセンサ５６、普図始動ゲートセンサ５７、一般入賞センサ５８、始動入賞センサ５９等）からの検出信号を受けて、大当たり遊技等、種々の処理を行う。そして、サブ制御装置（排出発射制御装置４０、演出制御装置４８等）の他、普通図柄表示器３１、特別図柄表示器３２、普図始動記憶表示器３１′、特図始動記憶表示器３２′、遊技状態表示器３３、ラウンド表示器３４、始動入賞口２３の開閉部材２３ａ（図１参照）を開閉するための始動入賞ソレノイド６１、大入賞口２７の扉部材２７ａを開閉するための大入賞口開閉ソレノイド６２等に指令信号を送信して、遊技の進行を統括的に制御する。さらに、本発明における外部送信手段としても機能し、外部情報端子４５を介して遊技に関する情報等をパチンコ遊技機１の外部、具体的には、遊技店内のパチンコ遊技機１を管理する管理装置４４へ送信する。なお、普通図柄表示器３１、特別図柄表示器３２、普図始動記憶表示器３１′、特図始動記憶表示器３２′、遊技状態表示器３３、ラウンド表示器３４、始動入賞ソレノイド６１（すなわち始動入賞口２３）、大入賞口開閉ソレノイド６２（すなわち大入賞口２７）、外部情報端子４５は、遊技制御装置４７により直接制御され、他の制御装置（例えば演出制御装置４８）を介さずに遊技制御装置４７から直接信号を受信するように構成されている。
【００１９】
演出制御装置４８は、遊技制御装置４７からの演出制御指令信号（制御データ）に基づいて、表示部３０の表示制御を行ったり、パチンコ遊技機１の装飾演出等を行ったりする装置である。そして、演出制御装置４８の入力側には、遊技制御装置４７を電気的に接続し、出力側には、表示部３０、スピーカ１６、サイドランプ２５、センターケース２２内の演出役物部材（図示せず）の駆動源となるモータ６４等を電気的に接続している。
【００２０】
電源供給装置４１は、各制御装置４０，４７，４８等に電力を供給するための装置であり、パチンコ遊技機１をＯＮ／ＯＦＦするための電源スイッチ６７、少なくとも遊技制御装置４７のＲＡＭ５２へ電源を常時供給し、停電が発生したとしてもＲＡＭ５２の記憶内容を維持可能とするバックアップ電源６８、ＲＡＭ５２（詳しくはＲＡＭ５２の記憶内容）を初期化するためのＲＡＭ初期化スイッチ６９、電源電圧を監視することで停電を検出する停電検出回路７０を備えて構成されている。そして、停電検出回路７０により停電の発生を検出すると、この検出結果に基づいて停電検出信号を遊技制御装置４７や演出制御装置４８へ出力する。
【００２１】
このように構成されたパチンコ遊技機１において、電源供給装置４１のＲＡＭ初期化スイッチ６９が操作されたり、停電が発生してパチンコ遊技機１に電力が供給されなくなったりした場合には、電源供給装置４１は、遊技制御装置４７に対する初期化指令信号、詳しくはＲＡＭ５２を初期化するための初期化指令信号を遊技制御装置４７へ送信する。そして、遊技制御装置４７が初期化指令信号を検出すると、遊技制御装置４７は、初期化指令信号が正規な信号か不正な信号かに拘らず、当該遊技制御装置４７が直接制御可能な特別図柄表示器３２に表示動作、具体的には７セグＬＥＤの点滅表示を予め設定された報知時間（例えば３０秒間）に亘って行わせて、初期化指令信号が検出されたことを報知する。したがって、図３において二点鎖線で示すように、遊技制御装置４７と他の制御装置（演出制御装置４８）との間に不正な電子基板（所謂ぶら下がり基板）７２を接続されて、このぶら下がり基板７２により遊技制御装置４７が不正に初期化されたとしても、初期化行為が行われたことを特別図柄表示器３２により報知することができ、遊技店の店員にパチンコ遊技機１を調べるきっかけ、ひいてはぶら下がり基板７２が取り付けられていることを発見するきっかけを与えることができる。また、店員が特別図柄表示器３２を見て不正な初期化行為の実行を把握することができ、遊技球が流下する音や遊技店内のＢＧＭ等で遊技店内が騒々しい状態であるとしても、店員が不正な初期化行為の有無を調査し損なうことがない。
【００２２】
また、表示部３０において不正な初期化行為の報知を行おうとすると、ぶら下がり基板７２が遊技制御装置４７から演出制御装置４８、言い換えると表示部３０を制御する制御装置への初期化報知信号を無効としてしまう虞があるが、本実施形態では、遊技制御装置４７が直接制御する特別図柄表示器３２において報知動作を行うので、この報知動作をぶら下がり基板７２により阻止されてしまう不都合がない。そして、特別図柄表示器３２に点滅表示動作を行わせて初期化指令信号の検出を報知するので、特別図柄表示器３２による報知動作を目立たせることができ、遊技店内の店員に不正な初期化行為が行われたか否かの調査を迅速に促すことができる。
【００２３】
さらに、遊技制御装置４７は、外部送信手段として機能し、初期化指令信号を検出したことを外部情報端子４５から出力して管理装置４４へ送信する。したがって、初期化行為が行われたことを管理装置４４で把握することができ、遊技店内の店員に不正な初期化行為が実行されたか否かの調査、ひいては不正電子基板が接続されているか否かの調査を一層迅速に行わせることができる。
【００２４】
次に、上記の動作を実現する遊技制御装置４７の制御を、図４〜図６のフローチャートに基づいて具体的に説明する。まず、図４のフローチャートに基づき、メイン処理について説明する。メイン処理においては、遊技制御装置４７は、ＲＡＭ初期化スイッチ６９が操作されているか（Ｓ１）、あるいは停電状態から復旧しているか（Ｓ２）を判断し、ＲＡＭ５２の初期化が必要か否かを判断する。そして、ＲＡＭ５２の初期化が必要ではないと判断された場合、具体的には、ステップＳ１においてＲＡＭ初期化スイッチ６９が操作されていないと判断され、且つステップＳ２において停電状態から復旧していると判断された場合には、停電復旧処理（Ｓ３）をおよび停電復旧コマンド送信処理（Ｓ４）を行う。具体的には、停電復旧処理では、停電発生時に設定された停電情報をもとに保存設定されていた停電発生時の遊技状態に復旧するための準備段階での処理を行い、停電復旧コマンド送信処理では、停電復旧処理にて準備された復旧内容のコマンドを送信する。さらに、初期値乱数更新処理（Ｓ５）を行い、特図変動表示ゲームの当たりを決定する乱数を更新し、乱数を更新したならば、停電が発生したか否か、具体的には電源供給装置４１の停電検出回路７０から停電検出信号を受信したか否かを判断し（Ｓ６）、停電が発生（停電検出信号を受信）していなければ、ステップＳ５に移行して再び初期値乱数更新処理を行い、停電が発生していれば、処理をループさせ、ループ中に後述する停電検出処理（図６参照）を割り込ませて実行する。
【００２５】
また、ＲＡＭ５２の初期化が必要であると判断された場合、具体的には、ステップＳ１においてＲＡＭ初期化スイッチ６９が操作されていると判断された場合、あるいはステップＳ２において停電状態から復旧していないと判断された場合には、ＲＡＭ初期化処理（Ｓ７）を行ってＲＡＭ５２を初期化するとともに、電源投入コマンド送信処理（Ｓ８）を行い、ステップＳ５に移行する。
【００２６】
なお、電源投入コマンド送信処理では、図５に示すように、演出制御装置４８へ初期状態表示コマンドを送信して表示部３０に初期状態の画像を表示させ（Ｓ１１）、さらには、初期化報知コマンドを送信して表示部３０にパチンコ遊技機１（具体的にはＲＡＭ５２）が初期化された旨の報知画像を表示する（Ｓ１２）。そして、特別図柄表示器３２の点滅表示を実行してＲＡＭ５２の初期化、詳しくは遊技制御装置４７がＲＡＭ５２の初期化指令信号を検出（受信）したことを報知し（Ｓ１３）、引き続き外部情報送信処理（Ｓ１４）を実行して管理装置４４へ初期化指令信号が検出された旨の情報を送信する。
【００２７】
また、メイン処理のステップＳ６において停電の発生が検出された場合には、図６に示す停電検出処理を実行する。停電検出処理において、遊技制御装置４７は、まず各レジスタの値を一時退避させる（Ｓ２１）。引き続いて、停電発生情報の設定処理、具体的には停電が発生していることを示すフラグの設定を行い、ステップＳ２における判断（すなわち停電が復旧したか否かの判断）を実行するための情報を準備する（Ｓ２２）。停電発生情報設定を行ったならば、各レジスタの値を復帰させ（Ｓ２３）、停電検出処理を終了してメイン処理に戻る（ＲＥＴ）。
【００２８】
ところで、上記実施形態では、特別図柄表示器３２の表示動作や管理装置４４への情報送信により、ＲＡＭ５２（遊技制御装置４７）に対する初期化指令信号の検出を報知したが、本発明はこれに限定されない。例えば、遊技領域７内の電動役物の一種である大入賞口２７を開閉して初期化指令信号の検出を報知してもよい。具体的には、図７に示すように、電源投入コマンド送信処理において、特別図柄表示器３２の点滅表示（Ｓ１３）、外部情報送信処理（Ｓ１４）に加えて、大入賞口開閉処理（Ｓ３１）を行ってもよい。大入賞口開閉処理では、遊技制御装置４７が大入賞口開閉ソレノイド６２へ直接信号を送信して扉部材２７ａの開閉動作を行わせて、ＲＡＭ５２に対する初期化指令信号が検出されたことを報知する。したがって、ＲＡＭ５２の初期化行為の報知動作をさらに目立たせることができ、遊技店内の店員に不正な初期化行為が行われたか否かの調査を一層迅速に促すことができる。なお、大入賞口開閉処理中に大入賞口２７へ遊技球が入賞した場合には、この入賞を無効とすることが望ましく、このように設定すれば、不正行為者が不正な初期化行為を行って入賞による利益を得てしまう不都合を阻止することができて好適である。
【００２９】
また、上記実施形態では、特別図柄表示器３２を点滅表示してＲＡＭ５２に対する初期化行為の報知動作を行うように設定したが、本発明はこれに限定されない。例えば、特別図柄表示器３２を予め設定された報知時間（例えば３０秒間）に亘って点灯し続けたり、あるいはランダムに記号や数字を表示し続けたりして報知動作を行ってもよい。さらには、普通図柄表示器３１、普図始動記憶表示器３１′、特図始動記憶表示器３２′、遊技状態表示器３３、ラウンド表示器３４を点灯あるいは点滅表示してＲＡＭ５２に対する初期化行為の報知動作を行うように設定してもよい。そして、大入賞口２７を開閉してＲＡＭ５２に対する初期化行為の報知動作を行うように設定したが、本発明はこれに限定されない。例えば、始動入賞口２３の開閉部材（扉部材）２３ａを開閉して報知動作を行うようにしてもよい。
【００３０】
さらに、上記実施形態では、代表的な遊技機であるパチンコ遊技機を例にして説明したが、本発明はこれに限らず、遊技の進行を制御する遊技制御装置と、該遊技制御装置により直接制御されて特別図柄を表示可能な特別図柄表示器とを備えた遊技機であればどのような遊技機でもよい。例えば、封入球式パチンコ機、アレンジボール式遊技機、雀球式遊技機等の遊技機であってもよい。
【００３１】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３２】
【図１】パチンコ遊技機の正面図である。
【図２】パチンコ遊技機の背面図である。
【図３】制御系の説明に供するブロック構成図である。
【図４】メイン処理のフローチャートである。
【図５】電源投入コマンド送信処理のフローチャートである。
【図６】停電検出処理のフローチャートである。
【図７】電源投入コマンド送信処理のフローチャートの変形例である。
【符号の説明】
【００３３】
１  パチンコ遊技機
３  前面枠
５  遊技盤
７  遊技領域
２２  センターケース
２３  始動入賞口
２３ａ  開閉部材
２７  大入賞口
２７ａ  扉部材
３０  表示部
３１  普通図柄表示器
３２  特別図柄表示器
３８  球排出機構
４０  排出発射制御装置
４１  電源供給装置
４４  管理装置
４５  外部情報端子
４７  遊技制御装置
４８  演出制御装置
５０  ＣＰＵ
５２  ＲＡＭ
６１  始動入賞ソレノイド
６２  大入賞口開閉ソレノイド
６７  電源スイッチ
６８  バックアップ電源
６９  ＲＡＭ初期化スイッチ
７０  停電検出回路
【図１】
2009061160.tif 000003
【図２】
2009061160.tif 000004
【図３】
2009061160.tif 000005
【図４】
2009061160.tif 000006
【図５】
2009061160.tif 000007
【図６】
2009061160.tif 000008
【図７】
2009061160.tif 000009